(57)【要約】      （修正有）【課題】手元供養に適した納骨機能を備えた上置型の仏壇を提供する。【解決手段】側板部に開閉可能な扉を備えた仏壇本体内を、上部側第１、下部側第２の各隔壁８、９を介して３段に仕切り、上方から下方に祭壇部、納骨壇部、引き出し部を設け、納骨檀部の納骨室内に納骨を可能としてなる上置型の仏壇であって、納骨壇部には、仏壇本体の扉とは別に納骨壇部専用の扉２１が設けられており、納骨壇部専用の扉により、祭壇部と納骨壇部、引き出し部の外観的な一体化を図り、祭壇部と納骨壇部の仏壇全体としての統一感および調和を実現した。【選択図】図２
0003226721.tif 000002
【実用新案登録請求の範囲】
【請求項１】
側板部に開閉可能な扉を備えた仏壇本体内を、上部側第１、下部側第２の各隔壁を介して３段に仕切り、その上方から下方に祭壇部、納骨壇部、引き出し部を設け、納骨檀部の納骨室内に納骨を可能としてなる上置型の仏壇であって、上記納骨壇部には、上記仏壇本体の扉とは別に納骨壇部専用の扉が設けられており、該納骨壇部専用の扉により、祭壇部と納骨壇部の外観的な一体化を図り、祭壇部と納骨壇部の仏壇全体としての統一感を実現したことを特徴とする上置型仏壇。
【請求項２】
納骨壇部専用の扉が１枚の扉体よりなり、仏壇本体の側板部内側に支柱を介して所定の寸法オフセットした状態で開閉可能に取り付けられていることを特徴とする請求項１記載の上置型仏壇。
【請求項３】
納骨壇部専用の扉が左右２枚の観音開き構造の扉体よりなり、それぞれ仏壇本体の左右両側板部内側に支柱を介して所定の寸法オフセットした状態で開閉可能に取り付けられていることを特徴とする請求項１記載の上置型仏壇。
【請求項４】
納骨壇部専用の扉の前面には、戒名札が着脱可能に取り付けられるようになっていることを特徴とする請求項１，２または３記載の上置型仏壇。
【考案の詳細な説明】
【技術分野】
【０００１】
本願考案は、納骨機能を備えた上置型仏壇の構成に関するものである。
【背景技術】
【０００２】
最近では故人に対する供養の形態も大きく変化してきており、従来一般的な葬送方法とされてきた墓や寺院への納骨の代りに、遺骨を自宅に保管し、慰霊の場を身近において故人を偲ぶという手元供養（自宅供養）の形態が普及しつつある。このような供養形態の場合、墓が不要で、永代供養などの経費も節約することができる。
【０００３】
手元供養の形態には種々のものがあるが、基本的なものは骨壷、骨箱等の納骨容器に入れた遺骨を仏壇内に収納して保管する形態である。従来、このような目的に使用される仏壇として、納骨仏壇と称される納骨機能を備えた仏壇が提案されている（たとえば、特許文献１を参照）。
【０００４】
この仏壇は、納骨室を備えた納骨壇および納骨壇の上部に置かれる祭壇（上置仏壇）よりなり、納骨壇を仏壇台として祭壇（上置仏壇）が設置されるようになっている。納骨壇の納骨室開口部左右には、観音開き構造の扉が設けられていて、納骨室に骨壷（納骨容器）を収納した後、同観音開き構造の扉を閉めることができるようになっている。納骨壇内の納骨室の寸法は、祭壇の外径寸法よりも大きく形成されており、納骨室に骨壷（納骨容器）を収納しない場合には、納骨室内に祭壇を収納して、観音開き構造の扉を備えた単一のコンパクトな上置型の仏壇を形成するようにしている。
【０００５】
このような構成による場合、納骨壇（仏壇台）の利用の仕方次第で、通常の仏壇機能に加えて、必要に応じて納骨機能を備えた仏壇を構成することが可能となる。また、納骨室内に骨壷も祭壇も収納しない仏壇台としての利用の場合には、納骨室内に遺品や必要な仏具を収納して置くことができる。
【先行技術文献】
【特許文献】
【０００６】
【特許文献１】実用新案登録第３１９９９６４号公報
【考案の概要】
【考案が解決しようとする課題】
【０００７】
しかし、上記特許文献１の構成の場合、基本的に祭壇と納骨壇が相互に独立した別体の構成となっていて、上置仏壇である祭壇を納骨壇である仏壇台の上に載せて使用するものであり、仏壇台部分を納骨壇として構成するものにすぎず、上置仏壇自体に納骨機能を設けたものではない。上置仏壇は、本来仏間や和室のない部屋にも違和感なく溶け込み、小型、コンパクトでありながらも、格式のある祈りの空間を実現するものである。特に現代的な家具調仏壇ほど、よりその様な特徴が求められている。そして、上記のような手元供養に適した納骨機能実現に対するニーズが高い。
【０００８】
しかし、現在の上置型仏壇の殆どのものは祭壇機能を中心として構成されており、祭壇部の下部に引き出し部を設けたものばかりであり、祭壇機能を犠牲にすることなく、祭壇部と調和する形で納骨壇を一体化した手元供養に適した上置タイプの仏壇は見出せない。特に現代的な家具調仏壇では、小型、コンパクトさが優先されるため、そもそも納骨壇を設けるという発想がなされて来なかった。
【０００９】
この出願の発明は、このような事情に基づいてなされたもので、祭壇機能を犠牲にすることなく、祭壇と納骨壇が調和する形で一体化させ、手元供養に適した構成とすることによって、寺院や墓への納骨を不要とした納骨機能付きの上置型仏壇を提供することを目的とするものである。
【課題を解決するための手段】
【００１０】
この出願の考案は、上述の課題を解決するために、次のような課題解決手段を備えて構成されている。
【００１１】
（１）請求項１の考案の課題解決手段
請求項１の考案の課題解決手段は、側板部に開閉可能な扉を備えた仏壇本体内を、上部側第１、下部側第２の各隔壁を介して３段に仕切り、その上方から下方に祭壇部、納骨壇部、引き出し部を設け、上記納骨檀部の納骨室内に納骨を可能としてなる上置型の仏壇であって、上記納骨壇部には、上記仏壇本体の扉とは別に納骨壇部専用の扉が設けられており、該納骨壇部専用の扉により、祭壇部と納骨壇部の外観的な一体化を図り、祭壇部と納骨壇部の仏壇全体としての統一感を実現したことを特徴としている。
【００１２】
このような構成によると、まず側板部に開閉可能な扉を備えた仏壇本体内を、上部側第１、下部側第２の各隔壁を介して３段に仕切り、その上方から下方に祭壇部、納骨壇部、引き出し部を設け、上記納骨檀部の納骨室内に納骨を可能としている。したがって、家具調仏壇などの小型、コンパクトな上置型仏壇においても有効に納骨を可能とすることができ、手元供養に適したものとすることができる。また、納骨壇部は仏壇全体の横幅を広くすることによって、複数の骨箱、骨壺を並べて収納することができるようになっているので、高さに制限のある上置仏壇の場合にも十分な収納容積を実現することができる。
【００１３】
そして、上記祭壇部下部の納骨壇部には、上記仏壇本体の扉とは別に納骨壇部専用の扉が設けられており、該納骨壇部専用の扉により、上記祭壇部と納骨壇部の外観的な一体化を図り、上記祭壇部と納骨壇部の仏壇全体としての統一感を実現している。
【００１４】
したがって、同構成によれば、通常の上置型仏壇の場合と同様に祭壇自体の祭壇としての独立した高級感、存在感を実現しながらも、それと同等に納骨壇の納骨壇としての厳粛さ、静謐な存在感を実現することができ、祭壇機能と納骨壇機能が調和し、仏間や和室のない部屋にも違和感なく溶け込みながら、格式のある祈りの空間、暖かい祈りの空間を実現することができる、これまでにない新しいタイプの上置型仏壇を提供することが可能となる。
【００１５】
その結果、同仏壇があれば、これまでのように寺院や墓に納骨することなく、自宅で納骨壇部分に遺骨を保管し、日々永代的に供養することができるようになる。また、従来のような墓が不要となり、永代供養に必要な経費も節約することができる。そして、遺族に対して、亡くなった後も故人と何時も一緒に居られるという安心感、暖かさを与えることができる。
【００１６】
（２）請求項２の考案の課題解決手段
請求項２の考案の課題解決手段は、上記請求項１の考案の課題解決手段において、納骨壇部専用の扉が１枚の扉体よりなり、仏壇本体の側板部内側に支柱を介して所定の寸法オフセットした状態で開閉可能に取り付けられていることを特徴としている。
【００１７】
このような構成によると、上述した機能を果たす納骨壇部専用の扉が１枚の扉体よりなる場合において、仏壇本体の側板部（例えば、その内側）に取り付けられた観音開き構造等の扉と干渉することなく、十分に広く開放されるようになるので、納骨室内への納骨容器（遺骨）の収納が容易になる。
【００１８】
（３）請求項３の考案の課題解決手段
請求項３の考案の課題解決手段は、上記請求項１の考案の課題解決手段において、納骨壇部専用の扉が左右２枚の観音開き構造の扉体よりなり、それぞれ仏壇本体の左右両側板部内側に支柱を介して所定の寸法オフセットした状態で開閉可能に取り付けられていることを特徴としている。
【００１９】
このような構成によると、上述した機能を果たす納骨壇部専用の扉が左右２枚の観音開き構造の扉体よりなる場合において、仏壇本体の左右両側板部内側に取り付けられた観音開き構造の扉と干渉することなく、十分に広く開放されるようになるので、納骨室内への納骨容器（遺骨）の収納が容易になる。
【００２０】
（４）請求項４の考案の課題解決手段
請求項４の考案の課題解決手段は、上記請求項１、２または３の考案の課題解決手段において、納骨壇部専用の扉の前面には、戒名札が着脱可能に取り付けられるようになっていることを特徴としている。
【００２１】
このような構成の場合、納骨壇部の納骨室内に納骨されている故人の戒名札が納骨壇部の扉の前面に表示されることになり、同戒名札が遺骨と同じ場所に存在する位牌的な機能を果たすことになり、より親密な手元供養形態を実現することができる。
【考案の効果】
【００２２】
以上の結果、この出願の考案によると、従来の課題を解決し、手元供養（家祀り）に適し、祭壇および納骨壇が相互に調和した格式のある上置型の仏壇を安価に提供することが可能となる。
【図面の簡単な説明】
【００２３】
【図１】この出願の考案の実施の形態に係る納骨機能を備えた上置型仏壇の本体側扉閉状態における構成を示す正面図である。
【図２】同仏壇の本体側扉開状態における構成を示す正面図である。
【図３】図１のＡ−Ａ断面図である。
【図４】図２のＢ−Ｂ断面図である。
【図５】図２のＣ−Ｃ断面図である。
【図６】図３の後端部における装飾部材の構成を示す断面図である。
【図７】同図３の装飾部材部分の詳細な構成を示す拡大斜視図である。
【図８】図２のＤ−Ｄ断面図である。
【図９】図２のＤ−Ｄ断面状態において、納骨壇の扉を開いた時の構成を示す図である。
【図１０】図２のＥ−Ｅ拡大断面図である。
【図１１】同仏壇の納骨壇部分の扉閉状態における戒名札非取り付け状態の構成を示す拡大正面図である。
【図１２】同仏壇において使用される戒名札の構成を示す拡大斜視図である。
【図１３】同仏壇において使用される戒名札の構成を示す分解斜視図である。
【図１４】同仏壇の納骨壇部分の扉の構成を変更した変形例の図２と同様の正面図である。
【図１５】図１４のＦ−Ｆ断面図である。
【考案を実施するための形態】
【００２４】
以下、本願考案の実施の形態に係る納骨機能を備えた上置型仏壇の構成および作用について、添付の図面を参照して詳細に説明する。以下に述べる実施の形態においては、対象となる上置型仏壇の一例として、家具調の現代型仏壇が採用されている。
【００２５】
図１〜図１３には、同本願考案の実施の形態に係る納骨機能を備えた上置型仏壇の全体および各部の構成が示されている。
【００２６】
図１〜図５中、符号１は同上置型仏壇の仏壇本体であり、該仏壇本体１は、天板（本天板）２ａおよび内天板２ｂ、内地板３ａおよび地板（本地板）３ｂ、左右両側板４，４、背板５によって、前面側が開放された上置型仏壇の基本となる仏壇匡体を構成しており、その内側は上部側第１の隔壁８、下部側第２の隔壁９により３つの部分に仕切られ、上方側から下方にかけて、祭壇部、納骨壇部、引き出し部（下台部）が設けられている。
【００２７】
祭壇部（祭壇）には、上記仏壇本体１の左右両側板４，４に接する形で、その左右方向の厚さが前方側から後方側にかけて次第に大きくなる断面直角三角形状の柱体１４，１４が設けられており、それによって全体として実際の寸法以上に奥行き感のある祭壇空間が形成されている。また、背面側には仏壇本体１の背板５の前面側に重合される形で杢貼り構造の後背板（前カバー）５ａが設けられ、さらに同後背板５ａの前面側上下方向略中央部には、例えば図６に示すように、左右両側板４，４間に亘って所定上下幅の帯状の装飾部材１６が設けられている。
【００２８】
この装飾部材１６は、例えば図７に示すように、相対的に厚さが薄い方形の第１のタイル部材１６ａと相対的に厚さが厚い方形の第２のタイル部材１６ｂを左右両方向に交互に貼り合わせて帯状に構成されており、全体として任意の間隔で連続する凹凸面構造を形成している。この場合、各凹凸面の高さは、それぞれ一定でもランダムでも構わない。第１、第２のタイル部材１６ａ，１６ｂ・・は、それぞれ例えば粘土鉱物などの微細な孔（ナノレベルの孔）を持つ原料を焼成して構成した方形の調湿パネルよりなり、多湿状態では湿気を吸収し、乾燥状態では湿気を放出する優れた調湿機能を備えている。そして、それにより祭壇内部を四季に関わらず安定した湿度に維持し、仏壇自体の耐久性を高めるようになっている。また、臭いや有害物質の吸着機能を備えており、蝋燭や線香からの一酸化炭素を吸収し、祭壇内の空気を清浄化する機能も有している。また、この装飾部材１６（第１、第２のタイル部材１６ａ，１６ｂ・・の各々）は、例えば全体がシルバー色等所定の色に着色され、その表面には、必要に応じて後述する第１、第２のＬＥＤ４１，４１および第３のＬＥＤ５１からの光照射時に浮き出る（ないし濃淡が現れる）所望の模様加工が施されている。
【００２９】
そして、これら後背板５ａおよび装飾部材１６前方の柱体１４，１４間下部側には、例えば図２〜図５に示すように、本尊台１５ａ，位牌棚１５ｂ，仏具棚１５ｃよりなる須弥檀１５が設けられている。柱体１４，１４の後端面と後背板５ａ両端面との間には、前後方向に所定の間隔のスペースが設けられており、同スペースの左右両側板４，４部分には、後背板５ａ、装飾部材１６、柱体１４，１４間後方空間部分を照らす第１、第２のＬＥＤ４１、４１が設けられている。また、内天板２ｂの中央部には、本尊台１５ａ上の本尊、須弥檀１５、左右両側の柱体４，４前面、装飾部材１６、後背板５ａを照らす第３のＬＥＤ５１が設けられている。これにより、奥行き感のある祭壇部の内側全体が暖かな照明に包まれ、かつ銀色に輝く装飾部材１６の前に、燦然として金色に輝く本尊が存在することになり、コンパクトな中にもインパクトのある祭壇を実現することができる。また、この場合、仏具棚１５ｃ下部のスペースの広い第１の隔壁８の上面を、さらに茶湯器、仏飯器、花瓶、供え物等の飾棚として利用することができるようになる。
【００３０】
次に、納骨壇部（納骨壇）は、その匡体部上部を第１の隔壁８、左右両側部を仏壇本体１の左右両側板４，４、背面部を背板５および前面板５ｂ、下部を底板１７および第２の隔壁９により形成すると共に、前面側開口部の一側（正面右側）に後述する扉２１オフセット（インセット）用の支柱１８を設け、同支柱１８の内側に蝶番２２，２２を介して、左側から右側に開く片開き構造の扉（一枚板構造の扉）２１を設けて構成されている。そして、その内側の若干横に長い直方体形状の空間を骨箱２０Ａおよび骨壷２０Ｂ（図９参照）を左右に並べた状態で収納することができる左右に広い納骨室に形成して構成されている。
【００３１】
上記一枚板構造の扉２１は、例えば図８および図９に示すように、背面側はフラットであるが、前面側は左右両側から中央部にかけて前方に突出した所定の曲率の緩やかな円弧面に形成されている。そして、それにより立体感を出し、外観的に納骨室内を広く感じさせるようにしている。また、その左側端部２１ａ部分には、仏壇本体１の左側の側板４側から所定寸法右に寄った位置において、上方から下方に２つの部材間の隙間間隔に対応した小さな幅の切り溝２１ｂが設けられている。この切り溝２１ｂは、当該扉２１の右側の端部と支柱１８との間の隙間に対応するダミーの隙間であり、扉２１の左側の端部２１ａ部分に、この切り溝２１ｂがあることにより、納骨壇部分（扉２１部分）を正面から見た場合に、同納骨壇の左側部分にも右側の支柱１８と同様の支柱１８があるように見えるようにしている（図２および図１１を参照）。これにより、同図２および図１１から明らかなように、納骨壇部分（扉２１部分）の正面構造が、少なくとも視覚的には全く左右対称となり、安定感を抱かせる落ち着いたデザインのものとなる。また、支柱１８の前面部分は、扉２１の円弧面の傾斜角に合った傾斜面としており、扉２１の前面と一体に連続する円弧面を形成している。
【００３２】
さらに、上記一枚板構造の扉２１は、上記のように、正面右側の端部上下を蝶番２２，２２を介して仏壇本体１の右側の側板４前端部の内側に設けた所定幅の支柱１８の内側（左側面）に回動可能に取り付けており、それにより（支柱１８による所定幅のオフセット寸法により）、仏壇本体１の左右両側板４，４の内側に蝶番７，７、７，７を介して取り付けられた仏壇本体１前面部の観音開き構造の扉６，６に干渉することなく（右側の）、左側から右側に十分に広く開かれ（図８および図９参照）、また右側から左側にスムーズに閉じられるようになっている。そして、その閉状態は、例えば上部側第１の隔壁８との間で相互の対向部内にそれぞれ同軸状態で設けられたマグネット２３ａ，２３ｂ同士の開閉操作可能な所定の強さの吸着力により維持されるようになっている。これら２組のマグネット２３ａ，２３ｂの埋設部としては、例えばマグネット２３ａが扉２１の左側上端部内およびそれに対応するマグネット２３ｂが第２の隔壁８の左側端部（後述する段差部端部８ｂの左側端部）内とされている。図２中の符号２３ａ，２３ｂは同じ位置を指しているが、便宜上前後方向同軸線上に距離のある２組のマグネットを合わせて示したものである。なお、後述するように、扉２１の前面には戒名取り付け部が設定されているが、当然ながら同マグネット２３ａ，２３ｂの設置部はそれら戒名取り付け部とは干渉しない位置となっている。
【００３３】
そして、この一枚板構造の扉２１の前面側、例えば正面左側の上部には、例えば図１１に示すように、所定の間隔を置いて左右２組の戒名札取り付け部が設定（並設状態に設定）されていて、同設定部には、それぞれ戒名札取り付け用の上下一対のマグネット２４ａ，２４ａ、２４ａ，２４ａが外部からは見えないように埋設されている。そして、それにより、例えば図２に示すように、左右２枚の戒名札２５，２５が着脱可能に取り付けられるようになっている。
【００３４】
戒名札２５，２５は、例えば図１２および図１３に示すように、上記取り付けられる扉２１の円弧面の傾斜角に対応して左側の厚さと右側の厚さが異なり、それらの間を同扉２１の円弧面（凸状の円弧面）の傾斜角に沿った傾斜角の逆円弧面（凹状の円弧面）に形成した扉２１と同様の木目を有した木製材料の本体部材（台部材）２５ｂと、見栄えの良いステンレス製の戒名板２５ｃと、上記本体部材２５ｂの正面側に形成された上下両端側が開口した所定の深さの戒名板嵌合溝２５ｄと、一端側を上記戒名板嵌合溝２５ｃ内に臨ませる一方、他端側を上記扉２１側戒名取り付け部の上下一対のマグネット２４ａ，２４ａに対応するように裏面側に望ませた上下一対のマグネット２５ａ，２５ａとからなり、上記戒名板嵌合溝２５ｄ内に上記ステンレス製の戒名板２５ｃを嵌合し、上記マグネット２５ａ，２５ａにより固定した構成のものとなっている。なお、図１２および図１３において、戒名板２５ｃの前面に□で表現されているのは戒名を示す文字である。図２中の戒名札２５の場合も同様である。
【００３５】
このような構成の場合、上記戒名板嵌合溝２５ｄ内に上記ステンレス製の戒名板２５ｃを嵌合した扉２１と同様の木目模様を有する木製の本体部材（台部材）２５ｂをマグネット２５ａ，２５ａ、２４ａ，２４ａを利用して扉２１の戒名札取付部（設定部）に固定すると、図２に示すように、戒名札２５，２５を取り付けた状態を実現することができる。この場合、マグネット２５ａ，２５ａ、２４ａ，２４ａは、それぞれ上下に一対設けられているので、正確に上下の位置を揃えることができ、また本体部材（台部材）２５ｂは、扉２１の円弧面の傾斜角に応じて左右の板厚を変えているので、取り付け後の戒名札２５，２５をそれぞれ正面に向いたものとすることができる。
【００３６】
なお、この実施の形態では、故人が２名である場合について示しているので（例えば両親であるような）、２組の戒名札２５，２５を取り付けているが、故人が１名である場合には、当然ながら１組の戒名札２５のみを取り付ければ良い。その場合、扉２１側の戒名札取り付け部の何れか一方は、戒名札２５がない状態となるが、戒名札取り付け部のマグネット２４ａ，２４ａは、扉２１内に埋設されていて表面には出ていないので、戒名が無い場合にも何ら違和感を感じさせることがない（図１１参照）。
【００３７】
また、この図１２および図１３の構成の戒名札２５は、例えば実際の製品では、オプション品として構成され、位牌などの場合と同様に、見栄えの良い美しいステンレス製の戒名板２５ｃに故人の戒名を刻して別途販売するような形態が採用される。
【００３８】
また、上記扉２１の正面中央部より少し下方に下がった位置には、扉２１を開閉するための操作穴２６が設けられている。この操作穴２６は、例えば図８および図９に示すように、扉２１の前面側に開口した指先を挿入するのに十分な直径の第１の穴２６ａと、その内側の板厚内において当該第１の穴２６ａの直径よりも大きく、かつ深く形成された第２の穴２６ｂとから形成されており、第１の穴２６ａから第２の穴２６ｂに指を挿入し、指先を第２の穴２６ｂに係合することによって、シンプルな構造でありながらも、容易に扉２１を開閉操作することができるようにしている。この操作穴２６の下方にも径の小さい穴が２つ設けられているが、これらは例えばデザイン上のものである。
【００３９】
また、上記扉２１の上端と上記第１の隔壁８との対応部には断面鉤形の段部（前方および下方側に開口）が設けられており、それにより上記扉２１の上端が、上記第１の隔壁８の板厚の薄い前端縁８ａの下部側で上記第１の隔壁８の本体部前端面（戸当たり面）８ｂに係合状態で対応するようになっている。これにより、納骨室閉状態においては１枚板構造の重厚感のある扉２１が祭壇部下部の底壁を構成する板厚の薄い第１の隔壁８（前端縁８ａ）を支えた状態で、下部側第２の隔壁９側に一体面に連続するデザイン状態となり、納骨檀部分に開閉可能な扉２１があることを感じさせない非常にすっきりとした意匠状態となる。しかも、扉２１の前面は、中央部の板厚が厚くて前方に突出している一方、左右両端側の板厚が薄くて後方に後退している緩やかな円弧面となっているので、立体感が高く、どっしりとした安定感を感じさせる。
【００４０】
また、同扉２１の下端は、納骨壇部と引出部を仕切る第２の隔壁９よりも前後方向の寸法が小さい納骨室内の底板１７の前端面（戸当たり面）１７ａに対応するようになっており、この対応位置は、上記扉２１の上端が対応する第１の隔壁８の前端縁８ａ下部側の断面鉤形の前端面８ｂと同じ位置となっている。そして、それにより第２の隔壁９との間で上記同様の断面鉤形の段部（前方および上方側に開口）を形成している。この結果、納骨室閉状態においては上記１枚板構造の重厚感のある扉２１が納骨壇下部側の第２の隔壁９側にも一体面に連続するデザイン状態となり、より納骨檀部分に開閉可能な扉２１があることを感じさせないすっきりとした意匠状態となる。
【００４１】
これらの結果、以上の構成では、通常の上置型仏壇の場合と同様に祭壇自体の祭壇としての独立した高級感、存在感を実現しながらも、それと同等に納骨壇の納骨壇としての厳粛さ、存在感を実現することができ、祭壇機能と納骨壇機能が融和した、これまでにない新しいタイプの仏壇を形成することができる。
【００４２】
また、上記のように扉２１が１枚板構造で片開きの場合、両開きの場合に比べて、１回の操作で開閉することができるし、扉２１の取り付け構造もシンプルになる。また、納骨室開口時における間口も広くすることができる。
【００４３】
次に引き出し部は、上記第２の隔壁９と上記内地板３ａおよび地板（本地板）３ｂとの間の両側に上部側第２の隔壁９に係る荷重を支えると共に引き出し１２の幅を狭くするための板厚の厚い左右両側板１３，１３を設け、その間に位置して、膳引１１、引き出し１２を前後方向に挿脱可能に収納して構成されている。
【００４４】
膳引１１と引き出し１２は、上下に重なる状態で設けられており、その重合部中央には、膳引１１側および引き出し１２側各々に半円上に刳り抜かれた膳引１１引き出し操作用の半円孔１９ａと引き出し操作用の半円孔１９ｂよりなる円形の操作穴１９が設けられている。この円形の操作穴１９も、上記納骨壇の扉２１の操作穴２６と同様に、前面側に開口した指先を挿入するのに十分な直径の第１の孔と、その内側の板厚内において当該第１の孔の直径よりも大きく、かつ深く形成された第２の孔とから形成されており（符号省略）、第１の孔から第２の穴に指を挿入し、指先を第２の穴に係合することにより、シンプルな構造でありながらも、膳引１１または引き出し１２をそれぞれ容易に挿脱操作することができるようにしている。
【００４５】
上記板厚の厚い左右両側板１３，１３は、その存在により上記引き出し１２の左右幅を小さくしているが、それは仏壇本体１側の扉６，６との関係で、引き出し１２を開けやすくするためである。また、この左右両側板１３，１３の内側面には、引き出し１２の左右両外側面に設けられているスライド用の凹溝部に係合する桟部材が設けられている。そして、それによって引き出し１２が前後方向に挿脱自在となっている。
【００４６】
上記膳引１１および引き出し１２を備えた引き出し部も、全体として上部側の上記第２の隔壁９及び下部側の内地板３ａおよび本地板３ｂ相互に一体感を持って連続する構成、デザインとなっており、祭壇および納骨壇を支持する安定した下台部を構成している。
【００４７】
そして、この状態で、上記仏壇本体１の前面側開口部には、左右各２枚の戸板６ａ，６ｂ，６ａ，６ｂよりなる、図１のような観音開き構造の扉６，６が折り畳み開閉可能に取り付けられ、祭壇部、納骨壇部、引き出し部が完全に一体になった上置型の仏壇が構成される。この観音開き構造の扉６，６は、それぞれ左右外端側の戸板６ａ，６ａが蝶番７，７、７，７を介して、仏壇本体１の左右両側板４，４の内側に回動可能に取り付けられる。そして、左右両扉６，６の中央部（合わせ部）には、径は大きいが上述した操作穴１９（１９ａ，１９ｂ）と同様の開閉操作用の操作穴６１（６１ａ，６１ｂ）が設けられている。また、同操作穴６１の下方にも径の小さい同様の穴が２つ設けられているが、これらは例えばデザイン上のものである。
【００４８】
以上の結果、この実施の形態の上置型仏壇では、通常の上置型仏壇の場合と同様に祭壇自体の祭壇としての独立した高級感、存在感を実現しながらも、それと同等に納骨壇の納骨壇としての厳粛さ、存在感を実現することができ、祭壇機能と納骨壇機能が調和し、仏間や和室のない部屋にも違和感なく溶け込みながら、格式のある祈りの空間、暖かい祈りの空間を実現することができる、これまでにない新しいタイプの上置型仏壇を提供することが可能となる。したがって、同仏壇があれば、これまでのように寺院や墓に納骨することなく、自宅で納骨壇部分に遺骨を保管し、日々永代的に供養することができるようになる。その結果、従来のような墓が不要となり、また永代供養に必要な経費も節約することができる。そして、遺族に対して、亡くなった後も故人と何時も一緒に居られるという安心感、暖かさを与えることができる。
【００４９】
しかも、上記納骨壇部は仏壇全体の横幅を広くすることによって、複数の骨箱、骨壺を並べて収納することができるようになっているので、高さに制限のある小型、コンパクトな現代型の上置仏壇の場合にも十分な収納容積を実現することができる。
【００５０】
なお、以上の実施の形態では、納骨壇部分の扉として、片開き構造の扉２１を採用したが、これは、例えば図１４および図１５に示すように、中央部から左右両方に開く、両開き構造の扉２１Ａ，２１Ａに変更することも可能である。この場合には、それぞれの扉２１Ａ，２１Ａを所定寸法内側にオフセット状態で取り付けるための上記支柱１８を納骨室の左右両側に設け、同支柱１８，１８に対して蝶番２２，２２、２２，２２を介して取り付けることになる。その他の構成は、基本的に同様であり、同様の作用を奏する。
【符号の説明】
【００５１】
１は仏壇本体、２ａは天板、３ｂは地板、４は側板、５は背板、６は仏壇本体の観音開き構造の扉、８は第１の隔壁、９は第２の隔壁、１２は引き出し、１５は須弥壇、２１は納骨壇部の扉、２５は戒名札である。
【図１】
0003226721.tif 000003
【図２】
0003226721.tif 000004
【図３】
0003226721.tif 000005
【図４】
0003226721.tif 000006
【図５】
0003226721.tif 000007
【図６】
0003226721.tif 000008
【図７】
0003226721.tif 000009
【図８】
0003226721.tif 000010
【図９】
0003226721.tif 000011
【図１０】
0003226721.tif 000012
【図１１】
0003226721.tif 000013
【図１２】
0003226721.tif 000014
【図１３】
0003226721.tif 000015
【図１４】
0003226721.tif 000016
【図１５】
0003226721.tif 000017